(57)【特許請求の範囲】
【請求項１】
開口部が形成された機器ケースと、
この機器ケースの前記開口部に配置された紫外線透過率が７０％以上のガラス部材と、
前記機器ケース内における前記ガラス部材と対向する位置に配置された液晶表示装置と、
この液晶表示装置の下方に配置された蓄光部と、を備えており、
前記液晶表示装置は、紫外線ノーカット偏光部材を備えていることを特徴とする電子機器。
【請求項２】
開口部が形成された機器ケースと、
この機器ケースの前記開口部に配置された紫外線透過率が７０％以上のガラス部材と、
前記機器ケース内における前記ガラス部材と対向する位置に配置された液晶表示装置と、
蓄光部を備え前記液晶表示装置の下方に配置される文字板及びこの文字板上で回転する指針を有したアナログ指針機構と、を備えており、
前記液晶表示装置は、紫外線ノーカット偏光部材を備えていることを特徴とする電子機器。
【請求項３】
前記アナログ指針機構の前記文字板の下方に照明装置が配置されていることを特徴とする請求項２記載の電子機器。
【発明の詳細な説明】
【０００１】
【発明の属する技術分野】
本発明は、情報を液晶等によって表示する表示装置を備えた電子機器に関する。
【０００２】
【従来の技術】
アナログ式電子時計では、時刻を文字板及び指針によって表示する以外に、透過型の液晶表示装置を配置したものが知られている。この液晶表示装置は時計ガラスに接近するように文字板の上方に配置されており、指針では表示することができない情報、例えば日付、曜日、アラーム時刻、各国やその主要都市の時刻、その他の情報を文字等によって表示するようになっている。
【０００３】
【発明が解決しようとする課題】
しかしながら、液晶表示装置は偏光板を上下面に有しているため、液晶表示装置の下方に配置されている文字板及び指針の時刻表示が見えにくくなる問題がある。
【０００４】
特にアナログ式時計では、文字板が大きな面積を有しており、時計全体の高級感を付与するために、高級感のある色や模様を文字板に施すことが行われるが、上述のように文字板の上方に液晶表示装置を配置した構造では、文字板自体が見えにくくなるため、付与した高級感が消失する根本的な問題を有している。
【０００５】
このような問題はアナログ式時計に限らず、適宜の色や模様を付したデザイン板の上方に液晶表示装置を配置した電子手帳、その他の電子機器においても同様に発生している。
【０００６】
本発明はこのような従来の問題点を考慮してなされたものであり、液晶表示装置等の表示装置による光への悪影響を少なくすることにより、表示装置の下方に配置した文字板やデザイン板を良好に見ることが可能な構造の電子機器を提供することを目的とする。
【０００７】
【課題を解決するための手段】
上記目的を達成するため、請求項１の発明は、開口部が形成された機器ケース（［００１４］、図１の機器ケース１）と、この機器ケースの前記開口部に配置された紫外線透過率が７０％以上のガラス部材（［００１４］、図１のガラス部材２）と、前記機器ケース内における前記ガラス部材と対向する位置に配置された液晶表示装置（［００１５］、図１の液晶表示装置３）と、この液晶表示装置の下方に配置された蓄光部（［００１９］〜［００２０］、図１、２の文字板１３）と、を備えており、前記液晶表示装置は、紫外線ノーカット偏光部材（［００１６］、［００２３］、図１，２の偏光板１０，１１）を備えていることを特徴とする。
【０００８】
請求項１の発明によれば、紫外線透過率が７０％以上のガラス部材を用いているので、外部から入射される紫外線を良好に透過することができるばかりでなく、このガラス部材を透過した紫外線は紫外線ノーカット偏光部材を透過し、更に、液晶表示装置を介して蓄光部に入射されることとなるので、蓄光部が紫外線を効率良く吸収して発光することとなる。この発光により、蓄光部の輝度が大きくなって蓄光部とその周辺が見え易くなる。従って蓄光部に施した文字や模様を液晶表示装置を介して視認することができる。
【０００９】
請求項２に記載の発明は、開口部が形成された機器ケース（図３の機器ケース１）と、この機器ケースの前記開口部に配置された紫外線透過率が７０％以上のガラス部材（［００２３］、図３のガラス部材２）と、前記機器ケース内における前記ガラス部材と対向する位置に配置された液晶表示装置（［００２３］、図３の液晶表示装置３）と、蓄光部を備え前記液晶表示装置の下方に配置される文字板（［００２４］、図３、４の文字板３０）及びこの文字板上で回転する指針を有したアナログ指針機構（［００１７］、図３のアナログ指針機構４）と、を備えており、前記液晶表示装置は、紫外線ノーカット偏光部材（［００２３］、図３の偏光板１０，１１）を備えていることを特徴とする。
【００１０】
請求項２の発明によれば、請求項１の発明の効果と同様に、ガラス部材が紫外線を良好に透過させることができると共に、液晶表示装置の偏光部材が紫外線を吸収することなく、良好に透過した状態で、文字板側に紫外線を導くことができる。従って、紫外線がアナログ指針機構の文字板に高効率で入射し、これにより文字板の蓄光部が発光して文字板の輝度が大きくなる。このため液晶表示装置が文字板の上方に配置されていても、文字板を容易に視認することができる。
【００１１】
請求項３に記載の発明は請求項２に記載の発明において、前記アナログ指針機構の前記文字板の下方に照明装置（［００２５］、［００２８］図４の照明装置３２）が配置されていることを特徴とする。
【００１２】
請求項３の発明によれば、文字板の下方に照明装置を配置しているので、この照明装置で文字板を下方から照明することができるため、夜間や暗闇内で文字板が見易くなると共に、蓄光部の残光時間に関係なく使用することができる。
【００１３】
【発明の実施の形態】
図１及び図２は本発明をアナログ式電子腕時計に適用した一実施形態を示し、時計ケースからなる機器ケース１と、時計ガラスからなるガラス部材２と、ガラス部材２と対向するように機器ケース１内に配置された表示装置としての液晶表示装置３と、液晶表示装置３の下方に配置されたアナログ指針機構４とを備えている。
【００１４】
機器ケース１は上下面が開口されており、上述したガラス部材２は上部の開口５に配置される一方、機器ケース１の下部の開口６には、裏蓋７がシール部材８を介して取り付けられている。ガラス部材２は機器ケース１の開口５に嵌め込まれ、その周面部分が開口５の内面に溶着等されることで固定される。このガラス部材２としては、紫外線の透過率が７０％以上の材質が使用される。より好ましくは、４００ｍμ以上の波長領域の紫外線の透過率が８０％以上であるガラス部材２が使用される。このように紫外線透過率が大きなガラス部材２を使用することにより、紫外線を高効率で機器ケース１内に導入することができる。
【００１５】
液晶表示装置３は、突き合わせ状態で内部に液晶が充填された一対の透明基板９と、これらの一対の透明基板９の上下面に積層された偏光板１０、１１とを備えている。この液晶表示装置３はガラス部材２に対向するようにその下方に配置されており、アナログ指針機構４が表示する時刻以外の日付、アラーム時刻、その他の情報を表示する。この表示を行うため、液晶表示装置３はアナログ指針機構４の回路基板１２とインターコネクタ１３を介して電気的に接続されている。なお、液晶表示装置３はその上面の周囲が機器ケース１の上部に形成した鍔部１ａに当接することにより、機器ケース１から抜け止めされている。
【００１６】
液晶表示装置３における偏光板１０、１１としては、紫外線を遮断することなく透過させる紫外線ノーカット偏光板が使用される。このように偏光板１０、１１として紫外線を透過する材質を使用することにより、後述するアナログ指針機構４の文字板１３や指針１４が液晶表示装置３の下方に配置されても、これらが表示している時刻情報を見ることができる。
【００１７】
アナログ指針機構４は、輪列機構、その他の機構を収納するムーブメントケース１５と、このケース１５上に取り付けられた回路基板１２と、ムーブメントケース１５から起立した指針軸１６と、この指針軸１６の先端に取り付けられた時針、分針等からなる指針１４とを備えると共に、指針軸１６が中央部分を貫通すると共に、液晶表示装置３の下方に配置された文字板１３を有している。
【００１８】
文字板１３は回路基板１２を押え付けるハウジング１７上に取り付けられており、この状態で見切りカバーを兼ねる押え部材１８によって周囲が押え付けられて固定されている。この文字板１３は蓄光材料を表面に、或いは内部に備えるものである。
【００１９】
図２はこの文字板１３の構造を示す。同図（ａ）は文字板本体２０の上面にインク層２１が形成されており、同図（ｂ）はインク層２１が文字板本体２０の下面に形成されている。これらのインク層２１には蓄光材料が混合されるものである。蓄光材料は紫外線が入射することにより、入射した紫外線を吸収して発光する性質を有した材料である。この発光によって文字板２０に形成した時字の輝度が高くなり、液晶表示装置３を通過してガラス基板２から外部に抜け出るため、時字を外部から視認できる。なお、（ｂ）の場合は、インク層２１の発光が文字板本体２０を透過する必要があり、このため文字板本体２０は透明の材質が使用される。
【００２０】
図２（ｃ）はこのような蓄光材料を樹脂に混合することによって、蓄光材料を含有した構造の文字板１３としたものである。この場合にも、文字板１３が紫外線を吸収して発光するため、文字板１３を外部から視認することができる。以上の蓄光材料としては、例えば商品名「Ｎ夜光塗料」（根本特殊化学（株）製）を使用することができる。
【００２１】
このような実施の形態では、アナログ指針機構４が時刻をアナログ表示すると共に、液晶表示装置３がその他の情報を表示するため、種々の情報を同時に表示できる。このとき、紫外線の透過率が７０％以上のガラス部材２を使用しているため、紫外線を良好に透過する。又、液晶表示装置３の偏光部材１０、１１は紫外線を吸収することがない。
【００２２】
従って、紫外線がアナログ指針機構４の文字板１３に高効率で入射し、これにより文字板１３の蓄光材料が発光して文字板１３の輝度が大きくなる。このため液晶表示装置３が文字板１３の上方に配置されていても、文字板１３が表示する時刻情報を外部から確実に視認することができる。これにより、文字板１３に高級感を付与しても、無駄になることがない。なお、蓄光材料は残光時間が長いため、長時間文字板１３を視認できるメリットがある。
【００２３】
図３及び図４は別の実施形態を示し、上述した実施形態と同一の要素は同一の符号を付して対応させてある。この実施形態においても、ガラス部材２として紫外線の透過率が７０％以上のものが使用されると共に、液晶表示装置３の偏光部材１０、１１として、紫外線をほとんどカットしない紫外線ノーカットタイプの偏光板が使用されている。
【００２４】
この実施形態における文字板３０は図４（ａ）〜（ｃ）に示す構造のものが使用されるものである。図４（ａ）〜（ｃ）において、３１は最下部分に位置する金属板等の支持板、３２はエレクトロルミネッセンスからなる照明装置であり、照明装置３２は回路基板１２からの信号の入力によって発光する。これらの支持板３１及び照明装置３２は粘着層３３を介して接合されている。
【００２５】
図４（ａ）においては、照明装置３２の上面に粘着層３４を介して透明フィルム３５が積層されており、この透明フィルム３５の上面にインク層３６が形成されている。これに対し、同図（ｂ）においては、透明フィルム３５の下面にインク層３６が形成され、この透明フィルム３５が粘着層３４を介して照明装置３２の上面に積層されている。これらの（ａ）、（ｂ）における透明フィルム３５には、時字や模様等が印刷或いは蒸着によって施されている。又、インク層３６は蓄光材料を混合したものが使用されている。
【００２６】
図４（ａ）、（ｂ）の文字板３０は、上述した実施形態と同様に、ガラス部材２が紫外線を良好に透過すると共に、液晶表示装置３の偏光部材１０、１１が紫外線を吸収することがない。従って、蓄光材料が混合されたインク層３６が良好に発光し、これにより、透明フィルム３５に施された時字や模様を良好に視認できる。
【００２７】
これに加えて、この実施形態では、照明装置３２が発光することにより、透明フィルム３５が明るくなって、同フィルム３５の時字、模様を夜間、暗闇でも確実に視認できる。又、この照明装置３２が発光することにより、蓄光材料を含有するインク層３６が発光し、透明フィルム３５の視認が可能となる。従って、照明装置３２を適宜、発光させることにより、インク層３６の発光を継続でき、蓄光材料の残光時間に関係のない使用が可能となる。
【００２８】
図４（ｃ）の文字板３０は、照明装置３２の上面に粘着層３４を介して、樹脂板３７が積層されている。この樹脂板３７には蓄光材料が混合されており、紫外線の入射によって樹脂板３７の全体が発光する。又、樹脂板３７を透明性を有すると共に、上面には時字、模様等が施されている。従って、この場合にも、樹脂板３７自体の発光によって、時字、模様等を視認できると共に、照明装置３２を発光させることにより、夜間、暗闇での視認が可能となっている。
【００２９】
本発明は以上の実施形態に限定されることなく、種々変更が可能である。例えば、偏光板は、紫外線を全てカットしないものではなく、わずかにカットするものであってもよく、また本発明はアナログ式腕時計以外の電子手帳、その他の電子機器に適用でき、この場合には、液晶表示装置以外の表示装置を使用することができる。
【００３０】
【発明の効果】
以上のように、請求項１の発明によれば、紫外線透過率が７０％以上のガラス部材を用いているので、外部から入射される紫外線を良好に透過することができるばかりでなく、このガラス部材を透過した紫外線は紫外線ノーカット偏光部材を透過し、更に、液晶表示装置を介して蓄光部に入射されることとなるので、蓄光部が紫外線を効率良く吸収して発光することとなる。この発光により、蓄光部の輝度が大きくなって蓄光部とその周辺が見え易くなる。従って蓄光部に施した文字や模様を液晶表示装置を介して視認することができる。
【００３１】
請求項２の発明によれば、請求項１の発明の効果と同様に、ガラス部材が紫外線を良好に透過させることができると共に、液晶表示装置の偏光部材が紫外線を吸収することなく、良好に透過した状態で、文字板側に紫外線を導くことができる。従って、紫外線がアナログ指針機構の文字板に高効率で入射し、これにより文字板の蓄光部が発光して文字板の輝度が大きくなる。このため液晶表示装置が文字板の上方に配置されていても、文字板を容易に視認することができる。
【００３２】
請求項３の発明によれば、文字板の下方に照明装置を配置しているので、この照明装置で文字板を下方から照明することができるため、夜間や暗闇内で文字板が見易くなると共に、蓄光部の残光時間に関係なく使用することができる。
【図面の簡単な説明】
【図１】本発明の一実施形態の部分断面図である。
【図２】（ａ）〜（ｃ）は一実施形態の文字板のそれぞれの断面図である。
【図３】別の実施形態の断面図である。
【図４】（ａ）〜（ｃ）は別の実施形態における文字板のそれぞれの断面図である。
【符号の説明】
１    機器ケース
２    ガラス部材
３    液晶表示装置
４    アナログ指針機構
５    開口
１０，１１  偏光部材
１３，３０  文字板
【図１】
0003639916.tif 000002
【図２】
0003639916.tif 000003
【図３】
0003639916.tif 000004
【図４】
0003639916.tif 000005